(57)【要約】      （修正有）【課題】塗布液を多量に、かつ均一に塗布することが可能、またはマスカラや毛染め液などの塗布液を確実に除去することが可能である。【解決手段】多数のブラシ毛材２を芯材３で挟んで巻き上げてなるブラシ具１であり、多数のブラシ毛材２は、芯材３を中心にして分けて１つのブラシ毛材群を形成するように加工され、１つのブラシ毛材群によりブラシ部４が構成され、ブラシ部４は、芯材３と直交する断面で見て、半円形状または扇形状であり、ブラシ部４の半円形状または扇形状によって芯材３の周りに空間部５を形成した。空間部５に、芯材３に沿って延びる梁部材を配置し、梁部材の外表面に、溝を形成した。【選択図】図１
2013176520.tif 000002
【特許請求の範囲】
【請求項１】
多数のブラシ毛材を芯材で挟んで巻き上げてなるブラシ具であり、
前記多数のブラシ毛材は、前記芯材を中心にして分けて１つのブラシ毛材群を形成するように加工され、
１つのブラシ毛材群によりブラシ部が構成され、
前記ブラシ部は、前記芯材と直交する断面で見て、半円形状または扇形状であり、
前記ブラシ部の半円形状または扇形状によって前記芯材の周りに空間部を形成したことを特徴とするブラシ具。
【請求項２】
前記空間部に、前記芯材に沿って延びる梁部材を配置したことを特徴とする請求項１に記載のブラシ具。
【請求項３】
前記梁部材の外表面に、溝を形成したことを特徴とする請求項２に記載のブラシ具。
【発明の詳細な説明】
【技術分野】
【０００１】
この発明は、特にマスカラブラシやアイブローブラシなど毛染め用ブラシのように塗布対象毛にマスカラや毛染め液などの塗布液を塗布するための塗布ブラシ、またマスカラや毛染め液などの塗布液を除去する洗浄ブラシなどのブラシ具に関する。
【背景技術】
【０００２】
従来、例えばマスカラブラシとして、特許文献１に開示されているように、ブラシに付着させたマスカラを、まつ毛に塗布するものが用いられている。通常、多数のブラシ毛材を２つ折りとされた芯材で挟み、この芯材を巻き上げて多数のブラシ毛材が芯材から放射状になるように形成し、芯材基端が埋め込み固定されるハンドルから構成されるのが一般的である。
【先行技術文献】
【特許文献】
【０００３】
【特許文献１】特開平５−２２８０１８号公報
【発明の概要】
【発明が解決しようとする課題】
【０００４】
例えば、従来のマスカラブラシは、芯材を巻き上げて多数のブラシ毛材が芯材から放射状になるように形成しているために、ブラシ毛材の間に芯材の太さ分の隙間が生じており、この隙間に塗布液がたまる。このため、塗布液を塗布する際には、塗布液がたまっている隙間の部分に数本のまつ毛が入り込み、まつ毛に液玉となって塗布される等の問題がある。
【０００５】
この発明は、かかる実情に鑑みてなされたもので、塗布液を多量に、かつ均一に塗布することが可能な液塗布ブラシ、またはマスカラや毛染め液などの塗布液を確実に除去することが可能な洗浄ブラシに好適に用いることができるブラシ具を提案しようとするものである。
【課題を解決するための手段】
【０００６】
前記課題を解決し、かつ目的を達成するために、この発明は、以下のように構成した。
【０００７】
請求項１に記載の発明は、多数のブラシ毛材を芯材で挟んで巻き上げてなるブラシ具であり、前記多数のブラシ毛材は、前記芯材を中心にして分けて１つのブラシ毛材群を形成するように加工され、１つのブラシ毛材群によりブラシ部が構成され、前記ブラシ部は、前記芯材と直交する断面で見て、半円形状または扇形状であり、前記ブラシ部の半円形状または扇形状によって前記芯材の周りに空間部を形成したことを特徴とするブラシ具である。
【０００８】
請求項２に記載の発明は、前記空間部に、前記芯材に沿って延びる梁部材を配置したことを特徴とする請求項１に記載のブラシ具である。
【０００９】
請求項３に記載の発明は、前記梁部材の外表面に、溝を形成したことを特徴とする請求項２に記載のブラシ具である。
【発明の効果】
【００１０】
前記構成により、この発明は、以下のような効果を有する。
【００１１】
請求項１に記載の発明では、多数のブラシ毛材は、芯材を中心にして分けて１つのブラシ毛材群を形成するように加工され、１つのブラシ毛材群によりブラシ部が構成され、ブラシ部は、芯材と直交する断面で見て、半円形状または扇形状であり、ブラシ部の半円形状または扇形状によって芯材の周りに空間部を形成したことで、例えば液塗布ブラシとして用いる場合には、ブラシ部に塗布液を付着させるために、液容器にブラシ部を入れて塗布液を付着させて取り出すことがあるが、このとき液容器の口部に設けられた丸孔のパッキン等でブラシ部がしごかれ、芯材の周りに形成された空間部に塗布液のしごき残りの塗布液が溜まり、ブラシ部によって例えばまつ毛に多量塗布ができ、塗布後にはブラシ部によってまつ毛を１本１本梳くようにして塗布液を均一に塗布することができる。また、空間部には、しごき残りの塗布液が多量に溜まり、この液溜まりはそのまま塗布液が露出しているので多量塗布し、その後ブラシ部を回転することで修正して美しく仕上げることができる。
【００１２】
請求項２に記載の発明では、空間部に、芯材に沿って延びる梁部材を配置したことで、多量塗布し、その後ブラシ部を回転することで修正し、さらに梁部材によってまつ毛を持ち上げるように回転してカールさせることができ、この動作を１回の動きで行うことができる。
【００１３】
請求項３に記載の発明では、梁部材の外表面に、溝を形成したことで、梁部材によってまつ毛を持ち上げるように回転してカールさせるときに、しごき時に塗布液が溝に溜まっていることでまつ毛に塗布された塗布液が除去されることを防止することができる。また、梁部材の溝によってカールさせるときに、まつ毛の生え際からの間隔を維持しながら略直角にまつ毛を整列させることができる。
【図面の簡単な説明】
【００１４】
【図１】第１の実施の形態のブラシ具を説明する図である。
【図２】第１の実施の形態のブラシ具を説明する図である。
【図３】ブラシ部を説明する図である。
【図４】ブラシ部の加熱加工を説明する図である。
【図５】第２の実施の形態のブラシ具を説明する図である。
【発明を実施するための形態】
【００１５】
以下、この発明のブラシ具の実施の形態について説明する。この発明の実施の形態は、発明の最も好ましい形態を示すものであり、この発明はこれに限定されない。
【００１６】
［第１の実施の形態］
（ブラシ具の構成）
第１の実施の形態の構成を、図１乃至図３に基づいて説明する。図１及び図２はブラシ具の実施の形態を説明する図、図３はブラシ部を説明する図である。
【００１７】
この実施の形態のブラシ具１は、多数のブラシ毛材２を芯材３で挟んで巻き上げてなるマスカラブラシであり、多数のブラシ毛材２は、芯材３を中心にして分けて１つのブラシ毛材群を形成するように加工される。１つのブラシ毛材群によりブラシ部４が構成され、このブラシ部４は、芯材３と直交する断面で見て、半円形状または扇形状であり、ブラシ部４の半円形状または扇形状によって芯材３の周りに空間部５を形成した。
【００１８】
ブラシ具１は、この実施の形態の場合、ブラシ毛材２は、０．１〜２．０〔ｍｍφ〕の太さの２本になるように折り曲げたステンレス線材の芯材３間に、その延長方向に多数のブラシ繊維材料のブラシ毛材２を配列するように挟み込んだ状態において、芯材３にねじり加工を施すことにより、ねじり加工された芯材３を中心として、直線的に外方にブラシ毛材２を突出するように植毛し、多数のブラシ毛材２が、芯材３を中心に放射状に設けられた状態になる。
【００１９】
ブラシ繊維材料は、０．０２８〜０．３〔ｍｍφ〕の合成樹脂材料（ナイロン、テトロン、ポリエステル、ポリプロピレンなど）の繊維素材を用いることができ、心材３やブラシ毛材５の材質、大きさ、形状等はブラシ具の使用用途によって自由に選定される。
【００２０】
多数のブラシ毛材２が、芯材３を中心に放射状に設けられた状態では、芯材３の芯軸方向から見ると、多数のブラシ毛材２が真円形状になっており、この真円形状から芯材３を中心にして分けて１つのブラシ毛材群を形成するように加工される。１つのブラシ毛材群によりブラシ部４が構成され、このブラシ部４は、芯材３と直交する断面で見て、半円形状または扇形状であり、ブラシ部４の半円形状または扇形状によって芯材３の周りに空間部５を形成する。
【００２１】
図１（ａ）乃至図１（ｆ）の実施の形態では、芯材３が直線状であり、ブラシ部４のブラシ毛材群は、図１（ａ）では芯材３と直交する断面で根元から先端まで同じ長さであり、図１（ｂ）では根元から先端に向けて短い長さで、図１（ｃ）では根元から中間部まで同じ長さで中間部から先端に向けて短い長さで、図１（ｄ）では瓢箪状になるような長さで、図１（ｅ）では中間部で絞られるような長さであり、図１（ｆ）では中間部で膨らむような長さである。
【００２２】
図１（ｇ）乃至図１（ｊ）の実施の形態では、ブラシ部４のブラシ毛材群は、芯材３と直交する断面で根元から先端まで同じ長さであり、図１（ｇ）では芯材３が円弧状で、図１（ｈ）では芯材３が「く」の字状で、図１（ｉ）では芯材３が「Ｓ」の字状で、図１（ｊ）では芯材３が円形状である。
【００２３】
図２（ａ）乃至図２（ｄ）の実施の形態では、芯材３が曲げられ、ブラシ部４のブラシ毛材群は、芯材３と直交する断面で根元から先端まで同じ長さで、かつ曲げた外側方向に向けられ、図２（ａ）では芯材３が円弧状で、図２（ｂ）では芯材３が「く」の字状で、図２（ｃ）では芯材３が円形状で、図２（ｄ）では芯材３の先端部が円形状である。
【００２４】
このブラシ部４は、図３に示すように、芯材３と直交する断面で見て、半円形状または扇形状であり、ブラシ部４の半円形状または扇形状によって芯材３の周りに空間部５を形成する。図３（ａ）では、ブラシ部４が半円形状であり、半円の平ら部分線Ｌ１が芯材３と接する位置にあり、図３（ｂ）では、ブラシ部４が半円形状であり、半円の平ら部分線Ｌ１が芯材３と接しない位置にあり、例えば芯材３との間を１．０ｍｍ以内とする。図３（ｃ）では、ブラシ部４が扇形状であり、芯材３の一部が露出するように多数のブラシ毛材２が分けられ、図３（ｄ）では、ブラシ部４が扇形状であり、芯材３が露出しないように多数のブラシ毛材２が分けられ、例えば芯材３に対して１．０ｍｍ以内の間にブラシ毛材２の根元が巻きついている。
【００２５】
（ブラシ具の製造）
多数のブラシ毛材２は、芯材３を中心にして分けて１つのブラシ毛材群を形成するように加工され、この加工として加熱加工、塑性加工を用いることができる。この加熱加工を図４に示す。
【００２６】
図４（ａ）の実施の形態では、多数のブラシ毛材２を芯材３で挟んで巻き上げてなるブラシ具１を、多数のブラシ毛材２の部分を板状の加熱治具５０の上に押し付けて芯材３３を中心にして分けて１つのブラシ毛材群を形成するように加工する。加熱治具５０によって多数のブラシ毛材２に熱を加え、毛繊維を軟化させることで加熱治具５０によって繊維角度に成形し、その後軟化温度から冷却することで、この成形角度を維持する。このように、冷却することで、熱塑性変形されたブラシの形状が維持され、希望するブラシ形状が得られ、冷却は放熱であってもよいが、何等かの手段で急冷してもよい。
【００２７】
図４（ｂ）の実施の形態では、多数のブラシ毛材２の部分を板状の加熱治具５０の上にあてがい、棒状または鋭角の治具５１により芯材３の先端部を押して芯材３を中心にして分けて１つのブラシ毛材群を形成するように加工する。図４（ｃ）の実施の形態では、多数のブラシ毛材２の部分を板状の加熱治具５０の上にあてがい、棒状または鋭角の治具５１により芯材３の中間部と先端部を押して芯材３３を中心にして分けて１つのブラシ毛材群を形成するように加工する。この実施の形態では、加工として加熱して押圧する加工について説明したが、大きな力を加えて変形させることによって、目的とする形状に加工する塑性加工も同様に用いることができる。
【００２８】
（ブラシ具の使用）
この実施の形態のブラシ具１は、例えば液塗布ブラシとして用いる場合には、ブラシ部４に塗布液を付着させるために、液容器にブラシ部４を入れて塗布液を付着させて取り出すことがあるが、このとき液容器の口部に設けられた丸孔のパッキン等でブラシ部４がしごかれ、芯材３の周りに形成された空間部５に塗布液のしごき残りの塗布液が溜まる。
【００２９】
このように、ブラシ具１は、芯材３の周りに形成された空間部５に塗布液のしごき残りの塗布液が溜まるために、ブラシ部４によって例えばまつ毛に多量塗布ができ、塗布後にはブラシ部４によってまつ毛を１本１本梳くようにして塗布液を均一に塗布することができる。また、空間部５には、しごき残りの塗布液が多量に溜まり、この液溜まりはそのまま塗布液が露出しているので多量塗布し、その後ブラシ部４を回転することで修正して美しく仕上げることができ、塗布液を多量に、かつ均一に塗布することが可能である。
【００３０】
［第２の実施の形態］
（ブラシ具の構成）
第２の実施の形態の構成を、図５に基づいて説明する。図５はブラシ具の実施の形態を説明する図である。
【００３１】
この実施の形態では、ブラシ具１のブラシ部４は、第１の実施の形態と同様に構成されるから同じ符号を付して説明を省略する。この実施の形態では、空間部５に、芯材３に沿って延びる梁部材６を配置し、また梁部材６の外表面に、溝６ａを形成した。
【００３２】
図５（ａ）の実施の形態では、ブラシ部４が芯材３と直交する断面で見て、半円形状であり、このブラシ部４の半円形状によって芯材３の周りに空間部５を形成し、この空間部５に、芯材３に沿って延びる梁部材６を配置し、この梁部材６は握り部５０の先端部に一体に形成している。図５（ｂ）の実施の形態では、ブラシ部４が芯材３と直交する断面で見て、扇形状であり、このブラシ部４の扇形状によって芯材３の周りに空間部５を形成し、この空間部５に、芯材３に沿って延びる梁部材６を配置し、この梁部材６は握り部５０の先端部に一体に形成している。
【００３３】
図５（ｃ）の実施の形態では、図５（ａ）の実施の形態と同様であるが、梁部材６の外表面に、溝６ａを形成しており、図５（ｄ）の実施の形態では、図５（ｂ）の実施の形態と同様であるが、梁部材６の外表面に、溝６ａを形成している。
【００３４】
（ブラシ具の使用）
図５（ａ）及び図５（ｂ）の実施の形態では、空間部５に、芯材３に沿って延びる梁部材６を配置したことで、ブラシ部４によって多量塗布し、その後ブラシ部４を回転することで修正し、さらに梁部材６によってまつ毛を持ち上げるように回転してカールさせることができ、この動作を１回の動きで行うことができる。
【００３５】
図５（ｃ）及び図５（ｄ）の実施の形態では、梁部材６の外表面に、溝６ａを形成したことで、梁部材６によってまつ毛を持ち上げるように回転してカールさせるときに、しごき時に塗布液が溝６ａに溜まっていることでまつ毛に塗布された塗布液が除去されることを防止することができる。また、梁部材６の溝６ａによってカールさせるときに、まつ毛の生え際からの間隔を維持しながら略直角にまつ毛を整列させ、塗布液を多量に、かつ均一に塗布することが可能である。
【００３６】
この実施の形態では、マスカラブラシについて説明したが、アイブローブラシなど毛染め用ブラシのように塗布対象毛にマスカラや毛染め液などの塗布液を塗布するための塗布ブラシ、またマスカラや毛染め液などの塗布液を除去する洗浄ブラシなどのブラシ具にも同様に実施することができる。
【産業上の利用可能性】
【００３７】
この発明は、特にマスカラブラシやアイブローブラシなど毛染め用ブラシのように塗布対象毛にマスカラや毛染め液などの塗布液を塗布するための塗布ブラシ、またマスカラや毛染め液などの塗布液を除去する洗浄ブラシなどのブラシ具に適用され、塗布液を多量に、かつ均一に塗布することが可能、またはマスカラや毛染め液などの塗布液を確実に除去することが可能である。
【符号の説明】
【００３８】
１  ブラシ具
２  ブラシ毛材
３  芯材
４  ブラシ部
５  芯材３の周りに空間部
６  梁部材
６ａ  梁部材６の溝
【図１】
2013176520.tif 000003
【図２】
2013176520.tif 000004
【図３】
2013176520.tif 000005
【図４】
2013176520.tif 000006
【図５】
2013176520.tif 000007